(57)【特許請求の範囲】
【請求項１】
光源と、光源から放射された光を反射するための楕円系反射面を有する第１リフレクタと、光源からの光および／または第１リフレクタからの光を集光させるための凸レンズとを具備し、第１リフレクタの楕円系反射面の第１焦点の近傍に光源を配置したストロボ装置において、
第１リフレクタの楕円系反射面の少なくとも一部を光源の中心よりも前側に配置すると共に、第１リフレクタの楕円系反射面の第２焦点を光源よりも後側に配置し、
光源よりも後側の第２焦点に向かって進む第１リフレクタの楕円系反射面からの反射光を反射し、光源の前側の凸レンズに入射させるための第２リフレクタを設けたことを特徴とするストロボ装置。
【請求項２】
光源として、左右方向に延びている管状の光源を用い、
光源から光源の後側に放射された光を管状の光源の中心軸線の近傍に戻すための半円筒状反射面を有する第３リフレクタを光源の後側に配置し、
第３リフレクタの上下方向寸法を凸レンズの上下方向寸法よりも小さくしたことを特徴とする請求項１に記載のストロボ装置。
【請求項３】
前後方向に平行な鉛直断面内の形状を左右方向にスイープさせることにより第１リフレクタの楕円系反射面を構成し、
前後方向に平行な鉛直断面内の形状を左右方向にスイープさせることにより凸レンズを構成し、
前後方向に平行な鉛直断面内の形状を左右方向にスイープさせることにより第２リフレクタを構成したことを特徴とする請求項２に記載のストロボ装置。
【請求項４】
光源から光源の前側に放射された光、および、光源から光源の後側に放射され、第３リフレクタの半円筒状反射面によって管状の光源の中心軸線の近傍に戻された光のうち、第１リフレクタの楕円系反射面に入射しない光を凸レンズに入射させるためのインナーレンズを光源と凸レンズとの間に配置し、
前後方向に平行な鉛直断面内の形状を左右方向にスイープさせることによりインナーレンズを構成したことを特徴とする請求項３に記載のストロボ装置。
【請求項５】
前後方向に延びる水平な軸線を中心に楕円弧を回転させることにより得られる概略回転楕円面を複数個左右方向に配列することによって第１リフレクタの楕円系反射面を構成し、
前後方向に延びる水平な軸線を中心に曲線および／または直線を回転させることにより得られる回転体を複数個左右方向に配列することによって凸レンズを構成したことを特徴とする請求項２に記載のストロボ装置。
【請求項６】
光源から光源の前側に放射された光、および、光源から光源の後側に放射され、第３リフレクタの半円筒状反射面によって管状の光源の中心軸線の近傍に戻された光のうち、第１リフレクタの楕円系反射面に入射しない光を凸レンズに入射させるためのインナーレンズを光源と凸レンズとの間に配置したことを特徴とする請求項５に記載のストロボ装置。
【発明の詳細な説明】
【技術分野】
【０００１】
本発明は、光源と、光源から放射された光を反射するための楕円系反射面を有するリフレクタと、光源からの光および／またはリフレクタからの光を集光させるための凸レンズとを具備し、リフレクタの楕円系反射面の第１焦点の近傍に光源を配置したストロボ装置に関する。
【０００２】
詳細には、本発明は、ストロボ装置全体の前後方向寸法（奥行き寸法）を小型化しつつ、凸レンズの入射面に入射する光の入射角を小さくすることができるストロボ装置に関する。
【背景技術】
【０００３】
従来から、光源と、光源から放射された光を反射するための楕円系反射面を有するリフレクタと、リフレクタからの反射光を集光させるための凸レンズとを具備し、リフレクタの楕円系反射面の第１焦点の近傍に光源を配置した照明装置が知られている。この種の照明装置の例としては、例えば特開平５−４０２２３号公報の図１に記載されたものがある。
【０００４】
特開平５−４０２２３号公報の図１に記載された照明装置では、リフレクタの楕円系反射面の第２焦点が、光源の前側に配置されている。詳細には、リフレクタの楕円系反射面の第２焦点が、光源と凸レンズとの間に配置されている。
【０００５】
つまり、特開平５−４０２２３号公報の図１に記載された照明装置では、光源から放射された光の一部が、リフレクタの楕円系反射面によって反射され、その楕円系反射面の第２焦点に集光せしめられる。次いで、その第２焦点から広がりながら進む光が、凸レンズによって集光せしめられ、照明装置の照射方向に照射される。
【０００６】
詳細には、特開平５−４０２２３号公報の図１に記載された照明装置では、光源から放射された光の利用効率を向上させるために、リフレクタの楕円系反射面が、光源の後側のみならず、光源の前側にも配置されている。
【０００７】
ところで、特開平５−４０２２３号公報の図１に記載された照明装置をストロボ装置に適用し、ストロボ装置全体の前後方向寸法（奥行き寸法）を小型化するために、リフレクタの楕円系反射面の第１焦点と第２焦点との間隔を小さくすることが考えられる。
【０００８】
ところが、リフレクタの楕円系反射面の第１焦点と第２焦点との間隔を小さくすると、リフレクタの楕円系反射面のうち、光源よりも前側の部分からの反射光が凸レンズの入射面に入射する入射角が大きくなってしまい、その結果、リフレクタの楕円系反射面のうち、光源よりも前側の部分からの反射光が凸レンズの入射面において全反射されるおそれが増加してしまう。
【０００９】
つまり、ストロボ装置全体の前後方向寸法（奥行き寸法）を小型化するために、リフレクタの楕円系反射面の第１焦点と第２焦点との間隔を小さくしようとすると、光源から放射された光の利用効率が低下するおそれが生じてしまう。
【００１０】
【特許文献１】特開平５−４０２２３号公報の図１
【発明の開示】
【発明が解決しようとする課題】
【００１１】
前記問題点に鑑み、本発明は、ストロボ装置全体の前後方向寸法（奥行き寸法）を小型化しつつ、凸レンズの入射面に入射する光の入射角を小さくすることができるストロボ装置を提供することを目的とする。
【００１２】
詳細には、本発明は、ストロボ装置全体の前後方向寸法（奥行き寸法）を小型化しつつ、凸レンズの入射面に入射する光の入射角を小さくすることにより、光源から放射された光の利用効率を向上させることができるストロボ装置を提供することを目的とする。
【００１３】
更に、本発明は、ストロボ装置全体の前後方向寸法（奥行き寸法）を小型化しつつ、凸レンズの入射面に入射する光の入射角を小さくすることにより、凸レンズの上下方向寸法を小型化することができるストロボ装置を提供することを目的とする。
【課題を解決するための手段】
【００１４】
請求項１に記載の発明によれば、光源と、光源から放射された光を反射するための楕円系反射面を有する第１リフレクタと、光源からの光および／または第１リフレクタからの光を集光させるための凸レンズとを具備し、第１リフレクタの楕円系反射面の第１焦点の近傍に光源を配置したストロボ装置において、第１リフレクタの楕円系反射面の少なくとも一部を光源の中心よりも前側に配置すると共に、第１リフレクタの楕円系反射面の第２焦点を光源よりも後側に配置し、光源よりも後側の第２焦点に向かって進む第１リフレクタの楕円系反射面からの反射光を反射し、光源の前側の凸レンズに入射させるための第２リフレクタを設けたことを特徴とするストロボ装置が提供される。
【００１５】
請求項２に記載の発明によれば、光源として、左右方向に延びている管状の光源を用い、光源から光源の後側に放射された光を管状の光源の中心軸線の近傍に戻すための半円筒状反射面を有する第３リフレクタを光源の後側に配置し、第３リフレクタの上下方向寸法を凸レンズの上下方向寸法よりも小さくしたことを特徴とする請求項１に記載のストロボ装置が提供される。
【００１６】
請求項３に記載の発明によれば、前後方向に平行な鉛直断面内の形状を左右方向にスイープさせることにより第１リフレクタの楕円系反射面を構成し、前後方向に平行な鉛直断面内の形状を左右方向にスイープさせることにより凸レンズを構成し、前後方向に平行な鉛直断面内の形状を左右方向にスイープさせることにより第２リフレクタを構成したことを特徴とする請求項２に記載のストロボ装置が提供される。
【００１７】
請求項４に記載の発明によれば、光源から光源の前側に放射された光、および、光源から光源の後側に放射され、第３リフレクタの半円筒状反射面によって管状の光源の中心軸線の近傍に戻された光のうち、第１リフレクタの楕円系反射面に入射しない光を凸レンズに入射させるためのインナーレンズを光源と凸レンズとの間に配置し、前後方向に平行な鉛直断面内の形状を左右方向にスイープさせることによりインナーレンズを構成したことを特徴とする請求項３に記載のストロボ装置が提供される。
【００１８】
請求項５に記載の発明によれば、前後方向に延びる水平な軸線を中心に楕円弧を回転させることにより得られる概略回転楕円面を複数個左右方向に配列することによって第１リフレクタの楕円系反射面を構成し、前後方向に延びる水平な軸線を中心に曲線および／または直線を回転させることにより得られる回転体を複数個左右方向に配列することによって凸レンズを構成したことを特徴とする請求項２に記載のストロボ装置が提供される。
【００１９】
請求項６に記載の発明によれば、光源から光源の前側に放射された光、および、光源から光源の後側に放射され、第３リフレクタの半円筒状反射面によって管状の光源の中心軸線の近傍に戻された光のうち、第１リフレクタの楕円系反射面に入射しない光を凸レンズに入射させるためのインナーレンズを光源と凸レンズとの間に配置したことを特徴とする請求項５に記載のストロボ装置が提供される。
【発明の効果】
【００２０】
請求項１に記載のストロボ装置では、光源から放射された光を反射するための楕円系反射面を有する第１リフレクタが設けられている。詳細には、第１リフレクタの楕円系反射面の少なくとも一部が、光源の中心よりも前側に配置されている。また、第１リフレクタの楕円系反射面の第１焦点の近傍に光源が配置され、第１リフレクタの楕円系反射面の第２焦点が光源よりも後側に配置されている。
【００２１】
また、請求項１に記載のストロボ装置では、光源からの光および／または第１リフレクタからの光を集光させるための凸レンズが設けられている。更に、光源よりも後側の第２焦点に向かって進む第１リフレクタの楕円系反射面からの反射光を反射し、光源の前側の凸レンズに入射させるための第２リフレクタが設けられている。
【００２２】
詳細には、請求項１に記載のストロボ装置では、光源から放射され、第１リフレクタの楕円系反射面によって反射された光が、光源よりも後側の第２焦点に向かって進み、次いで、第２リフレクタによって反射され、次いで、光源の前側の凸レンズに入射し、次いで、ストロボ装置の画角内に照射される。
【００２３】
つまり、請求項１に記載のストロボ装置では、光源から放射され、第１リフレクタの楕円系反射面によって反射された光が、特開平５−４０２２３号公報の図１に記載された照明装置のように光源の前側の凸レンズに直接入射するのではなく、第２リフレクタによって反射された後に光源の前側の凸レンズに入射する。
【００２４】
そのため、請求項１に記載のストロボ装置によれば、リフレクタの楕円系反射面からの反射光が光源の前側の凸レンズに直接入射する特開平５−４０２２３号公報の図１に記載された照明装置よりも、凸レンズに入射する光の入射角を小さくすることができる。
【００２５】
すなわち、請求項１に記載のストロボ装置によれば、凸レンズに入射する光の入射角を小さくすることにより、凸レンズに入射する光が凸レンズの入射面において全反射されてしまうおそれを低減することができ、それにより、光源から放射された光の利用効率を向上させることができる。
【００２６】
換言すれば、請求項１に記載のストロボ装置によれば、光源と凸レンズとを近接させて配置することによってストロボ装置全体の前後方向寸法（奥行き寸法）を小型化しつつ、凸レンズの入射面に入射する光の入射角を小さくすることにより、光源から放射された光の利用効率を向上させることができる。
【００２７】
更に、請求項１に記載のストロボ装置によれば、光源と凸レンズとを近接させて配置することによってストロボ装置全体の前後方向寸法（奥行き寸法）を小型化しつつ、凸レンズの入射面に入射する光の入射角を小さくすることにより、凸レンズの上下方向寸法を小型化することができる。
【００２８】
請求項２に記載のストロボ装置では、光源として、左右方向に延びている管状の光源が用いられている。また、光源から光源の後側に放射された光を管状の光源の中心軸線の近傍に戻すための半円筒状反射面を有する第３リフレクタが、光源の後側に配置されている。
【００２９】
詳細には、請求項２に記載のストロボ装置では、光源から光源の後側に放射された光の一部が、第３リフレクタの半円筒状反射面によって管状の光源の中心軸線の近傍に戻され、次いで、第１リフレクタの楕円系反射面、第２リフレクタおよび凸レンズを介してストロボ装置の画角内に照射される。
【００３０】
あるいは、請求項２に記載のストロボ装置では、光源から光源の後側に放射された光の一部が、第３リフレクタの半円筒状反射面によって管状の光源の中心軸線の近傍に戻され、次いで、凸レンズを介してストロボ装置の画角内に照射される。
【００３１】
そのため、請求項２に記載のストロボ装置によれば、光源から光源の後側に放射された光がストロボ装置の画角内に照射されない場合よりも、光源から放射された光の利用効率を向上させることができる。
【００３２】
更に、請求項２に記載のストロボ装置では、光源の後側に配置された第３リフレクタの反射面が半円筒状反射面によって構成され、第３リフレクタの上下方向寸法が凸レンズの上下方向寸法よりも小さくされている。その結果、請求項２に記載のストロボ装置では、第３リフレクタの半円筒状反射面が管状の光源よりも後側に突出する量が小さく抑えられている。そのため、請求項２に記載のストロボ装置によれば、特開平５−４０２２３号公報の図１に記載された照明装置のように構成されたストロボ装置に比べ、ストロボ装置のうち、光源よりも後側に突出する部分を小さくすることができる。
【００３３】
請求項３に記載のストロボ装置では、前後方向に平行な鉛直断面内の形状を左右方向にスイープさせることにより第１リフレクタの楕円系反射面が構成されている。また、前後方向に平行な鉛直断面内の形状を左右方向にスイープさせることにより凸レンズが構成されている。更に、前後方向に平行な鉛直断面内の形状を左右方向にスイープさせることにより第２リフレクタが構成されている。そのため、請求項３に記載のストロボ装置によれば、前後方向に平行な鉛直断面内の形状を左右方向にスイープさせることにより第１リフレクタの楕円系反射面、凸レンズおよび第２リフレクタが構成されていない場合よりも、第１リフレクタの楕円系反射面、凸レンズおよび第２リフレクタの設計を容易にすることができる。
【００３４】
請求項４に記載のストロボ装置では、光源から光源の前側に放射された光、および、光源から光源の後側に放射され、第３リフレクタの半円筒状反射面によって管状の光源の中心軸線の近傍に戻された光のうち、第１リフレクタの楕円系反射面に入射しない光を凸レンズに入射させるためのインナーレンズが、光源と凸レンズとの間に配置されている。好ましくは、光源から放射された光の一部が、インナーレンズによって凸レンズの焦点の近傍に集光せしめられる。
【００３５】
詳細には、請求項４に記載のストロボ装置では、光源から光源の前側に放射された光のうち、第１リフレクタの楕円系反射面に入射しない光が、インナーレンズおよび凸レンズを介してストロボ装置の画角内に照射される。
【００３６】
そのため、請求項４に記載のストロボ装置によれば、光源から光源の前側に放射された光のうち、第１リフレクタの楕円系反射面に入射しない光がストロボ装置の画角内に照射されない場合よりも、光源から放射された光の利用効率を向上させることができる。
【００３７】
また、請求項４に記載のストロボ装置では、光源から光源の後側に放射された光の一部が、第３リフレクタの半円筒状反射面によって管状の光源の中心軸線の近傍に戻され、次いで、インナーレンズおよび凸レンズを介してストロボ装置の画角内に照射される。
【００３８】
そのため、請求項４に記載のストロボ装置によれば、光源から光源の後側に放射され、第３リフレクタの半円筒状反射面によって管状の光源の中心軸線の近傍に戻された光のうち、第１リフレクタの楕円系反射面に入射しない光がストロボ装置の画角内に照射されない場合よりも、光源から放射された光の利用効率を向上させることができる。
【００３９】
更に、請求項４に記載のストロボ装置では、前後方向に平行な鉛直断面内の形状を左右方向にスイープさせることによりインナーレンズが構成されている。そのため、請求項４に記載のストロボ装置によれば、前後方向に平行な鉛直断面内の形状を左右方向にスイープさせることによりインナーレンズが構成されていない場合よりも、インナーレンズの設計を容易にすることができる。
【００４０】
前後方向に平行な鉛直断面内の形状を左右方向にスイープさせることにより第１リフレクタの楕円系反射面が構成され、前後方向に平行な鉛直断面内の形状を左右方向にスイープさせることにより凸レンズが構成されている場合には、光源から放射された光の左右方向の拡散度合いを、第１リフレクタの楕円系反射面および凸レンズによって制御することができない。
【００４１】
この点に鑑み、請求項５に記載のストロボ装置では、前後方向に延びる水平な軸線を中心に楕円弧を回転させることにより得られる概略回転楕円面を複数個左右方向に配列することによって第１リフレクタの楕円系反射面が構成されている。更に、前後方向に延びる水平な軸線を中心に曲線および／または直線を回転させることにより得られる回転体を複数個左右方向に配列することによって凸レンズが構成されている。
【００４２】
そのため、請求項５に記載のストロボ装置によれば、光源から放射された光の左右方向の拡散度合いを、第１リフレクタの楕円系反射面および凸レンズによって制御し、凸レンズからの光をストロボ装置の画角内に照射することができる。
【００４３】
請求項６に記載のストロボ装置では、光源から光源の前側に放射された光、および、光源から光源の後側に放射され、第３リフレクタの半円筒状反射面によって管状の光源の中心軸線の近傍に戻された光のうち、第１リフレクタの楕円系反射面に入射しない光を凸レンズに入射させるためのインナーレンズが、光源と凸レンズとの間に配置されている。好ましくは、光源から放射された光の一部が、インナーレンズによって凸レンズの焦点の近傍に集光せしめられる。
【００４４】
詳細には、請求項６に記載のストロボ装置では、光源から光源の前側に放射された光のうち、第１リフレクタの楕円系反射面に入射しない光が、インナーレンズおよび凸レンズを介してストロボ装置の画角内に照射される。
【００４５】
そのため、請求項６に記載のストロボ装置によれば、光源から光源の前側に放射された光のうち、第１リフレクタの楕円系反射面に入射しない光がストロボ装置の画角内に照射されない場合よりも、光源から放射された光の利用効率を向上させることができる。
【００４６】
また、請求項６に記載のストロボ装置では、光源から光源の後側に放射された光の一部が、第３リフレクタの半円筒状反射面によって管状の光源の中心軸線の近傍に戻され、次いで、インナーレンズおよび凸レンズを介してストロボ装置の画角内に照射される。
【００４７】
そのため、請求項６に記載のストロボ装置によれば、光源から光源の後側に放射され、第３リフレクタの半円筒状反射面によって管状の光源の中心軸線の近傍に戻された光のうち、第１リフレクタの楕円系反射面に入射しない光がストロボ装置の画角内に照射されない場合よりも、光源から放射された光の利用効率を向上させることができる。
【発明を実施するための最良の形態】
【００４８】
以下、本発明のストロボ装置の第１の実施形態について説明する。図１は第１の実施形態のストロボ装置を示した図である。詳細には、図１（Ａ）は第１の実施形態のストロボ装置を左側から見た鉛直断面図、図１（Ｂ）は第１の実施形態のストロボ装置を右側から見た鉛直断面図である。図２〜図４は図１（Ａ）に示す鉛直断面内を進む光の光路を示した図である。図５は第１の実施形態のストロボ装置の効果を説明するための図である。
【００４９】
図１〜図５において、１はストロボ装置の左右方向に延びている例えばキセノン管のような管状の光源を示しており、ＣＬは管状の光源１の中心軸線を示しており、２は光源１から放射された光を反射するためのリフレクタを示している。２ａはリフレクタ２の一部を構成するリフレクタ部を示しており、２ａ１は図１に示す鉛直断面内の楕円弧をストロボ装置の左右方向にスイープさせることにより得られる楕円系反射面を示しており、２ａｆ２は楕円系反射面２ａ１の第２焦点（詳細には、第２焦線）を示している。２ｂはリフレクタ２の一部を構成するリフレクタ部を示しており、２ｂ１は図１に示す鉛直断面内の楕円弧をストロボ装置の左右方向にスイープさせることにより得られる楕円系反射面を示しており、２ｂｆ２は楕円系反射面２ｂ１の第２焦点（詳細には、第２焦線）を示している。
【００５０】
第１の実施形態のストロボ装置では、光源１が、リフレクタ部２ａの楕円系反射面２ａ１の第１焦点（詳細には、第１焦線）の近傍に配置されると共に、リフレクタ部２ｂの楕円系反射面２ｂ１の第１焦点（詳細には、第１焦線）の近傍に配置されている。
【００５１】
更に、第１の実施形態のストロボ装置では、図１に示すように、リフレクタ部２ａの楕円系反射面２ａ１が管状の光源１の中心軸線ＣＬよりも前側（図１（Ａ）の右側、図１（Ｂ）の左側）に配置されている。更に、リフレクタ部２ａの楕円系反射面２ａ１の第２焦点２ａｆ２が光源１よりも後側（図１（Ａ）の左側、図１（Ｂ）の右側）に配置されている。また、リフレクタ部２ｂの楕円系反射面２ｂ１が管状の光源１の中心軸線ＣＬよりも前側（図１（Ａ）の右側、図１（Ｂ）の左側）に配置されている。更に、リフレクタ部２ｂの楕円系反射面２ｂ１の第２焦点２ｂｆ２が光源１よりも後側（図１（Ａ）の左側、図１（Ｂ）の右側）に配置されている。
【００５２】
また、図１〜図５において、２ｃはリフレクタ２の一部を構成するリフレクタ部を示しており、２ｄはリフレクタ２の一部を構成するリフレクタ部を示している。第１の実施形態のストロボ装置では、図１に示すように、リフレクタ部２ｃ，２ｄの反射面（図１（Ａ）の右側の面、図１（Ｂ）の左側の面）が、ストロボ装置の前後方向（図１の左右方向）に対して直交する鉛直面によって構成されている。つまり、リフレクタ部２ｃ，２ｄの反射面（図１（Ａ）の右側の面、図１（Ｂ）の左側の面）が、図１に示す鉛直断面内を上下方向に延びている線分をストロボ装置の左右方向にスイープさせることによって構成されている。第２の実施形態のストロボ装置では、代わりに、リフレクタ部２ｃの上端がリフレクタ部２ｃの下端よりも前側（図１（Ａ）の右側、図１（Ｂ）の左側）に位置するようにリフレクタ部２ｃの反射面を傾斜させ、リフレクタ部２ｄの下端がリフレクタ部２ｄの上端よりも前側（図１（Ａ）の右側、図１（Ｂ）の左側）に位置するようにリフレクタ部２ｄの反射面を傾斜させることも可能である。
【００５３】
更に、図１〜図５において、２ｅはリフレクタ２の一部を構成するリフレクタ部を示している。２ｅ１は、光源１から光源１の後側（図１（Ａ）の左側、図１（Ｂ）の右側）に放射された光を管状の光源１の中心軸線ＣＬの近傍に戻すためにリフレクタ部２ｅに形成された半円筒状反射面を示している。第１の実施形態のストロボ装置では、図１に示すように、リフレクタ部２ｅの半円筒状反射面２ｅ１と管状の光源１とが概略同軸関係になるように、リフレクタ部２ｅの半円筒状反射面２ｅ１が形成されている。
【００５４】
また、図１〜図５において、２ｆはリフレクタ２の一部を構成する右側壁を示しており、２ｇはリフレクタ２の一部を構成する左側壁を示している。３はリフレクタ２のリフレクタ部２ｃ，２ｄからの反射光を集光させるための凸レンズを示しており、３ｆは凸レンズ３の焦点（詳細には、焦線）を示している。第１の実施形態のストロボ装置では、図１に示す鉛直断面内の凸レンズ３の形状をストロボ装置の左右方向にスイープさせることにより、凸レンズ３が構成されている。また、第１の実施形態のストロボ装置では、図１に示すように、凸レンズ３が光源１の前側（図１（Ａ）の右側、図１（Ｂ）の左側）に配置されており、リフレクタ部２ｅの上下方向寸法が、凸レンズ３の上下方向寸法Ｈ３（図５参照）よりも小さくされている。
【００５５】
第１の実施形態のストロボ装置では、リフレクタ部２ａ，２ｂ，２ｃ，２ｄ，２ｅが例えば押出成形によって一体的に形成されている。また、右側壁２ｆがリフレクタ部２ａ，２ｂ，２ｃ，２ｄ，２ｅの右端面に対して例えばねじ止め、接着などによって固定され、左側壁２ｇがリフレクタ部２ａ，２ｂ，２ｃ，２ｄ，２ｅの左端面に対して例えばねじ止め、接着などによって固定されている。更に、例えば側壁２ｆ，２ｇによって凸レンズ３を狭持することにより、凸レンズ３がリフレクタ２に対して固定されている。
【００５６】
第１の実施形態のストロボ装置では、リフレクタ部２ａ，２ｂ，２ｃ，２ｄ，２ｅが例えば押出成形によって一体的に形成されているが、第３の実施形態のストロボ装置では、代わりに、リフレクタ部２ａ，２ｂ，２ｃ，２ｄ，２ｅを別個の部材として形成したり、リフレクタ部２ａ，２ｂ，２ｃ，２ｄ，２ｅを押出成形以外の任意の手法によって形成したりすることも可能である。
【００５７】
詳細には、第１の実施形態のストロボ装置では、図２（Ａ）に示すように、光源１から光源１の前側（図２（Ａ）の右側）かつ上側（図２（Ａ）の上側）に放射された光Ｌ１が、まず最初に、リフレクタ部２ａの楕円系反射面２ａ１によって反射される。次いで、楕円系反射面２ａ１からの反射光が、光源１よりも後側（図２（Ａ）の左側）の第２焦点２ａｆ２に向かって進み、リフレクタ部２ｃの反射面によって反射される。次いで、リフレクタ部２ｃの反射面からの反射光が、凸レンズ３の焦点３ｆの近傍を通過し、凸レンズ３に入射する。次いで、凸レンズ３によって屈折された光Ｌ１’が、概略水平な光になってストロボ装置の画角内に照射される。
【００５８】
同様に、第１の実施形態のストロボ装置では、図２（Ａ）に示すように、光源１から光源１の前側（図２（Ａ）の右側）かつ上側（図２（Ａ）の上側）に放射された光Ｌ２が、まず最初に、リフレクタ部２ａの楕円系反射面２ａ１によって反射される。次いで、楕円系反射面２ａ１からの反射光が、光源１よりも後側（図２（Ａ）の左側）の第２焦点２ａｆ２に向かって進み、リフレクタ部２ｃの反射面によって反射される。次いで、リフレクタ部２ｃの反射面からの反射光が、凸レンズ３の焦点３ｆの近傍を通過し、凸レンズ３に入射する。次いで、凸レンズ３によって屈折された光Ｌ２’が、概略水平な光になってストロボ装置の画角内に照射される。
【００５９】
第１の実施形態のストロボ装置では、図２（Ａ）に示すように、凸レンズ３からの光Ｌ１’，Ｌ２’が共に概略水平な光になるように設定されているが、第４の実施形態のストロボ装置では、代わりに、凸レンズ３からの光Ｌ１’がストロボ装置の画角内の下縁部付近に照射されるように、凸レンズ３からの光Ｌ１’を下向きの光に設定することも可能である。
【００６０】
また、第１の実施形態のストロボ装置では、図２（Ｂ）に示すように、光源１から光源１の前側（図２（Ｂ）の右側）かつ下側（図２（Ｂ）の下側）に放射された光Ｌ３が、まず最初に、リフレクタ部２ｂの楕円系反射面２ｂ１によって反射される。次いで、楕円系反射面２ｂ１からの反射光が、光源１よりも後側（図２（Ｂ）の左側）の第２焦点２ｂｆ２に向かって進み、リフレクタ部２ｄの反射面によって反射される。次いで、リフレクタ部２ｄの反射面からの反射光が、凸レンズ３の焦点３ｆの近傍を通過し、凸レンズ３に入射する。次いで、凸レンズ３によって屈折された光Ｌ３’が、概略水平な光になってストロボ装置の画角内に照射される。
【００６１】
同様に、第１の実施形態のストロボ装置では、図２（Ｂ）に示すように、光源１から光源１の前側（図２（Ｂ）の右側）かつ下側（図２（Ｂ）の下側）に放射された光Ｌ４が、まず最初に、リフレクタ部２ｂの楕円系反射面２ｂ１によって反射される。次いで、楕円系反射面２ｂ１からの反射光が、光源１よりも後側（図２（Ｂ）の左側）の第２焦点２ｂｆ２に向かって進み、リフレクタ部２ｄの反射面によって反射される。次いで、リフレクタ部２ｄの反射面からの反射光が、凸レンズ３の焦点３ｆの近傍を通過し、凸レンズ３に入射する。次いで、凸レンズ３によって屈折された光Ｌ４’が、概略水平な光になってストロボ装置の画角内に照射される。
【００６２】
第１の実施形態のストロボ装置では、図２（Ｂ）に示すように、凸レンズ３からの光Ｌ３’，Ｌ４’が共に概略水平な光になるように設定されているが、第４の実施形態のストロボ装置では、凸レンズ３からの光Ｌ３’がストロボ装置の画角内の上縁部付近に照射されるように、凸レンズ３からの光Ｌ３’が上向きの光に設定されている。
【００６３】
また、第１の実施形態のストロボ装置では、図３（Ａ）に示すように、光源１から光源１の後側（図３（Ａ）の左側）かつ下側（図３（Ａ）の下側）に放射された光Ｌ５”が、まず最初に、リフレクタ部２ｅの半円筒状反射面２ｅ１によって反射される。次いで、半円筒状反射面２ｅ１からの反射光Ｌ５が、管状の光源１の中心軸線ＣＬの近傍を通過し、リフレクタ部２ａの楕円系反射面２ａ１によって反射される。次いで、楕円系反射面２ａ１からの反射光が、光源１よりも後側（図３（Ａ）の左側）の第２焦点２ａｆ２に向かって進み、リフレクタ部２ｃの反射面によって反射される。次いで、リフレクタ部２ｃの反射面からの反射光が、凸レンズ３の焦点３ｆの近傍を通過し、凸レンズ３に入射する。次いで、凸レンズ３によって屈折された光Ｌ５’が、概略水平な光になってストロボ装置の画角内に照射される。
【００６４】
同様に、第１の実施形態のストロボ装置では、図３（Ａ）に示すように、光源１から光源１の後側（図３（Ａ）の左側）かつ下側（図３（Ａ）の下側）に放射された光Ｌ６”が、まず最初に、リフレクタ部２ｅの半円筒状反射面２ｅ１によって反射される。次いで、半円筒状反射面２ｅ１からの反射光Ｌ６が、管状の光源１の中心軸線ＣＬの近傍を通過し、リフレクタ部２ａの楕円系反射面２ａ１によって反射される。次いで、楕円系反射面２ａ１からの反射光が、光源１よりも後側（図３（Ａ）の左側）の第２焦点２ａｆ２に向かって進み、リフレクタ部２ｃの反射面によって反射される。次いで、リフレクタ部２ｃの反射面からの反射光が、凸レンズ３の焦点３ｆの近傍を通過し、凸レンズ３に入射する。次いで、凸レンズ３によって屈折された光Ｌ６’が、概略水平な光になってストロボ装置の画角内に照射される。
【００６５】
第１の実施形態のストロボ装置では、図３（Ａ）に示すように、凸レンズ３からの光Ｌ５’，Ｌ６’が共に概略水平な光になるように設定されているが、第４の実施形態のストロボ装置では、凸レンズ３からの光Ｌ５’がストロボ装置の画角内の下縁部付近に照射されるように、凸レンズ３からの光Ｌ５’が下向きの光に設定されている。
【００６６】
また、第１の実施形態のストロボ装置では、図３（Ｂ）に示すように、光源１から光源１の後側（図３（Ｂ）の左側）かつ上側（図３（Ｂ）の上側）に放射された光Ｌ７”が、まず最初に、リフレクタ部２ｅの半円筒状反射面２ｅ１によって反射される。次いで、半円筒状反射面２ｅ１からの反射光Ｌ７が、管状の光源１の中心軸線ＣＬの近傍を通過し、リフレクタ部２ｂの楕円系反射面２ｂ１によって反射される。次いで、楕円系反射面２ｂ１からの反射光が、光源１よりも後側（図３（Ｂ）の左側）の第２焦点２ｂｆ２に向かって進み、リフレクタ部２ｄの反射面によって反射される。次いで、リフレクタ部２ｄの反射面からの反射光が、凸レンズ３の焦点３ｆの近傍を通過し、凸レンズ３に入射する。次いで、凸レンズ３によって屈折された光Ｌ７’が、概略水平な光になってストロボ装置の画角内に照射される。
【００６７】
同様に、第１の実施形態のストロボ装置では、図３（Ｂ）に示すように、光源１から光源１の後側（図３（Ｂ）の左側）かつ上側（図３（Ｂ）の上側）に放射された光Ｌ８”が、まず最初に、リフレクタ部２ｅの半円筒状反射面２ｅ１によって反射される。次いで、半円筒状反射面２ｅ１からの反射光Ｌ８が、管状の光源１の中心軸線ＣＬの近傍を通過し、リフレクタ部２ｂの楕円系反射面２ｂ１によって反射される。次いで、楕円系反射面２ｂ１からの反射光が、光源１よりも後側（図３（Ｂ）の左側）の第２焦点２ｂｆ２に向かって進み、リフレクタ部２ｄの反射面によって反射される。次いで、リフレクタ部２ｄの反射面からの反射光が、凸レンズ３の焦点３ｆの近傍を通過し、凸レンズ３に入射する。次いで、凸レンズ３によって屈折された光Ｌ８’が、概略水平な光になってストロボ装置の画角内に照射される。
【００６８】
第１の実施形態のストロボ装置では、図３（Ｂ）に示すように、凸レンズ３からの光Ｌ７’，Ｌ８’が共に概略水平な光になるように設定されているが、第４の実施形態のストロボ装置では、凸レンズ３からの光Ｌ７’がストロボ装置の画角内の上縁部付近に照射されるように、凸レンズ３からの光Ｌ７’が上向きの光に設定されている。
【００６９】
更に、第１の実施形態のストロボ装置では、図４（Ａ）に示すように、光源１から光源１の前側（図４（Ａ）の右側）かつ上側（図４（Ａ）の上側）に放射された光Ｌ９であって、リフレクタ部２ａの楕円系反射面２ａ１に入射しない光Ｌ９が、凸レンズ３に直接入射する。次いで、凸レンズ３によって屈折された光Ｌ９’が、下向きの光になってストロボ装置の画角内の下縁部付近に照射される。
【００７０】
また、第１の実施形態のストロボ装置では、図４（Ａ）に示すように、リフレクタ部２ｅの半円筒状反射面２ｅ１からの反射光Ｌ９であって、光源１の前側（図４（Ａ）の右側）かつ上側（図４（Ａ）の上側）に進み、かつ、リフレクタ部２ａの楕円系反射面２ａ１に入射しない光Ｌ９が、凸レンズ３に入射する。次いで、凸レンズ３によって屈折された光Ｌ９’が、下向きの光になってストロボ装置の画角内の下縁部付近に照射される。
【００７１】
更に、第１の実施形態のストロボ装置では、図４（Ｂ）に示すように、光源１から光源１の前側（図４（Ｂ）の右側）かつ下側（図４（Ｂ）の下側）に放射された光Ｌ１０であって、リフレクタ部２ｂの楕円系反射面２ｂ１に入射しない光Ｌ１０が、凸レンズ３に直接入射する。次いで、凸レンズ３によって屈折された光Ｌ１０’が、上向きの光になってストロボ装置の画角内の上縁部付近に照射される。
【００７２】
また、第１の実施形態のストロボ装置では、図４（Ｂ）に示すように、リフレクタ部２ｅの半円筒状反射面２ｅ１からの反射光Ｌ１０であって、光源１の前側（図４（Ｂ）の右側）かつ下側（図４（Ｂ）の下側）に進み、かつ、リフレクタ部２ｂの楕円系反射面２ｂ１に入射しない光Ｌ１０が、凸レンズ３に入射する。次いで、凸レンズ３によって屈折された光Ｌ１０’が、上向きの光になってストロボ装置の画角内の上縁部付近に照射される。
【００７３】
すなわち、第１の実施形態のストロボ装置では、図５に示すように、リフレクタ部２の楕円系反射面２ａ１からの反射光が、リフレクタ部２ｃの反射面によって反射され、入射角αで凸レンズ３に入射する。そのため、第１の実施形態のストロボ装置によれば、リフレクタ部２の楕円系反射面２ａ１からの反射光が凸レンズ３に直接入射する場合の入射角βよりも、凸レンズ３に入射する光の入射角α（＜β）を小さくすることができる。その結果、第１の実施形態のストロボ装置によれば、凸レンズ３に入射する光が凸レンズ３の入射面において全反射されてしまうおそれを低減することができ、それにより、光源１から放射された光の利用効率を向上させることができる。
【００７４】
換言すれば、第１の実施形態のストロボ装置では、光源１と凸レンズ３とを近接させて配置することによってストロボ装置全体の前後方向（図５の左右方向）寸法を小型化する場合であっても、凸レンズ３の入射面に入射する光の入射角αを小さくすることにより、光源１から放射された光の利用効率を向上させることができる。
【００７５】
更に、第１の実施形態のストロボ装置では、図５に示すように、リフレクタ部２の楕円系反射面２ａ１からの反射光が入射角βで凸レンズ３に直接入射する場合よりも、凸レンズ３の入射面に入射する光の入射角α（＜β）を小さくすることができるため、第１の実施形態のストロボ装置によれば、リフレクタ部２の楕円系反射面２ａ１からの反射光が入射角βで凸レンズ３に直接入射する場合の凸レンズ３’の上下方向寸法Ｈ３’よりも、凸レンズ３の上下方向寸法Ｈ３（＜Ｈ３’）を小型化することができる。
【００７６】
また、第１の実施形態のストロボ装置では、図３に示すように、光源１から光源１の後側（図３の左側）に放射された光Ｌ５”，Ｌ６”，Ｌ７”，Ｌ８”がストロボ装置の画角内に照射される。そのため、第１の実施形態のストロボ装置によれば、光源１から光源１の後側（図３の左側）に放射された光Ｌ５”，Ｌ６”，Ｌ７”，Ｌ８”がストロボ装置の画角内に照射されない場合よりも、光源１から放射された光の利用効率を向上させることができる。
【００７７】
更に、第１の実施形態のストロボ装置では、図１に示すように、光源１の後側（図１（Ａ）の左側、図１（Ｂ）の右側）に配置されたリフレクタ部２ｅの反射面が半円筒状反射面２ｅ１によって構成され、リフレクタ部２ｅの上下方向寸法が凸レンズ３の上下方向寸法Ｈ３（図５参照）よりも小さくされている。その結果、第１の実施形態のストロボ装置では、リフレクタ部２ｅの半円筒状反射面２ｅ１が管状の光源１よりも後側（図１（Ａ）の左側、図１（Ｂ）の右側）に突出する量が小さく抑えられている。そのため、第１の実施形態のストロボ装置によれば、特開平５−４０２２３号公報の図１に記載された照明装置のように構成されたストロボ装置に比べ、ストロボ装置のうち、光源１よりも後側（図１（Ａ）の左側、図１（Ｂ）の右側）に突出する部分を小さくすることができる。
【００７８】
第１の実施形態のストロボ装置では、リフレクタ部２ｃ，２ｄの反射面が例えば単一の平面によって構成されているが、第５の実施形態のストロボ装置では、代わりに、リフレクタ部２ｃ，２ｄの反射面を、単一の曲面によって構成したり、複数の平面を組み合わせることによって構成したり、複数の曲面を組み合わせることによって構成したり、複数の平面および曲面を組み合わせることによって構成したりすることも可能である。第５の実施形態のストロボ装置によれば、リフレクタ部２ｃ，２ｄの反射面からの反射光を凸レンズ３の焦点３ｆから少しずらすことにより、上向きの光および下向きの光を凸レンズ３からストロボ装置の画角内に照射することができる。
【００７９】
以下、本発明のストロボ装置の第６の実施形態について説明する。第６の実施形態のストロボ装置は、後述する点を除き、上述した第１の実施形態のストロボ装置とほぼ同様に構成されている。従って、第６の実施形態のストロボ装置によれば、後述する点を除き、上述した第１の実施形態のストロボ装置とほぼ同様の効果を奏することができる。
【００８０】
図６は第６の実施形態のストロボ装置を示した図である。詳細には、図６（Ａ）は第６の実施形態のストロボ装置を左側から見た鉛直断面図、図６（Ｂ）および図６（Ｃ）は図６（Ａ）に示す鉛直断面内を進む光の光路を示した図である。
【００８１】
第１の実施形態のストロボ装置では、図１に示すように、光源１と凸レンズ３との間にインナーレンズが配置されていないが、第６の実施形態のストロボ装置では、図６（Ａ）に示すように、光源１と凸レンズ３との間にインナーレンズ４が配置されている。また、第６の実施形態のストロボ装置では、図６（Ａ）に示す鉛直断面内のインナーレンズ４の形状をストロボ装置の左右方向にスイープさせることにより、インナーレンズ４が構成されている。更に、例えば側壁２ｆ，２ｇによってインナーレンズ４を狭持することにより、インナーレンズ４がリフレクタ２に対して固定されている。
【００８２】
詳細には、第６の実施形態のストロボ装置では、図６（Ｂ）に示すように、光源１から光源１の前側（図６（Ｂ）の右側）かつ上側（図６（Ｂ）の上側）に放射された光Ｌ１１であって、リフレクタ部２ａの楕円系反射面２ａ１に入射しない光Ｌ１１が、インナーレンズ４に入射する。次いで、インナーレンズ４によって屈折された光が、凸レンズ３の焦点３ｆの近傍を通過し、凸レンズ３に入射する。次いで、凸レンズ３によって屈折された光Ｌ１１’が、概略水平な光になってストロボ装置の画角内に照射される。
【００８３】
また、第６の実施形態のストロボ装置では、図６（Ｂ）に示すように、リフレクタ部２ｅの半円筒状反射面２ｅ１からの反射光Ｌ１１であって、光源１の前側（図６（Ｂ）の右側）かつ上側（図６（Ｂ）の上側）に進み、かつ、リフレクタ部２ａの楕円系反射面２ａ１に入射しない光Ｌ１１が、インナーレンズ４に入射する。次いで、インナーレンズ４によって屈折された光が、凸レンズ３の焦点３ｆの近傍を通過し、凸レンズ３に入射する。次いで、凸レンズ３によって屈折された光Ｌ１１’が、概略水平な光になってストロボ装置の画角内に照射される。
【００８４】
更に、第６の実施形態のストロボ装置では、図６（Ｃ）に示すように、光源１から光源１の前側（図６（Ｃ）の右側）かつ下側（図６（Ｃ）の下側）に放射された光Ｌ１２であって、リフレクタ部２ｂの楕円系反射面２ｂ１に入射しない光Ｌ１２が、インナーレンズ４に入射する。次いで、インナーレンズ４によって屈折された光が、凸レンズ３の焦点３ｆの近傍を通過し、凸レンズ３に入射する。次いで、凸レンズ３によって屈折された光Ｌ１２’が、概略水平な光になってストロボ装置の画角内に照射される。
【００８５】
また、第６の実施形態のストロボ装置では、図６（Ｃ）に示すように、リフレクタ部２ｅの半円筒状反射面２ｅ１からの反射光Ｌ１２であって、光源１の前側（図６（Ｃ）の右側）かつ下側（図６（Ｃ）の下側）に進み、かつ、リフレクタ部２ｂの楕円系反射面２ｂ１に入射しない光Ｌ１２が、インナーレンズ４に入射する。次いで、インナーレンズ４によって屈折された光が、凸レンズ３の焦点３ｆの近傍を通過し、凸レンズ３に入射する。次いで、凸レンズ３によって屈折された光Ｌ１２’が、概略水平な光になってストロボ装置の画角内に照射される。
【００８６】
以下、本発明のストロボ装置の第７の実施形態について説明する。第７の実施形態のストロボ装置は、後述する点を除き、上述した第６の実施形態のストロボ装置とほぼ同様に構成されている。従って、第７の実施形態のストロボ装置によれば、後述する点を除き、上述した第６の実施形態のストロボ装置とほぼ同様の効果を奏することができる。
【００８７】
図７は第７の実施形態のストロボ装置を左側から見た鉛直断面図である。第６の実施形態のストロボ装置では、図６（Ａ）に示すように、リフレクタ部２ｃ，２ｄの反射面（図６（Ａ）の右側の面）が、ストロボ装置の前後方向（図６（Ａ）の左右方向）に対して直交する鉛直面によって構成されている。つまり、リフレクタ部２ｃ，２ｄの反射面（図６（Ａ）の右側の面）が、図６（Ａ）に示す鉛直断面内を上下方向に延びている線分をストロボ装置の左右方向にスイープさせることによって構成されている。それに対し、第７の実施形態のストロボ装置では、図７に示すように、リフレクタ部２ｃの上端がリフレクタ部２ｃの下端よりも前側（図７の右側）に位置するようにリフレクタ部２ｃの反射面が傾斜せしめられ、リフレクタ部２ｄの下端がリフレクタ部２ｄの上端よりも前側（図７の右側、）に位置するようにリフレクタ部２ｄの反射面が傾斜せしめられている。そのため、第７の実施形態のストロボ装置によれば、リフレクタ部２ｃ，２ｄの反射面からの反射光のうち、インナーレンズ４に衝突し、凸レンズ３に入射しなくなってしまう光を低減することができる。
【００８８】
以下、本発明のストロボ装置の第８の実施形態について説明する。第８の実施形態のストロボ装置は、後述する点を除き、上述した第６の実施形態のストロボ装置とほぼ同様に構成されている。従って、第８の実施形態のストロボ装置によれば、後述する点を除き、上述した第６の実施形態のストロボ装置とほぼ同様の効果を奏することができる。
【００８９】
図８〜図１０は第８の実施形態のストロボ装置を示した図である。詳細には、図８（Ａ）は第８の実施形態のストロボ装置の平面図、図８（Ｂ）はリフレクタ２と凸レンズ３とインナーレンズ４とを連結するための連結部材５ａ，５ｂを透視して見た第８の実施形態のストロボ装置の正面図、図８（Ｃ）は連結部材５ａ，５ｂを透視して見た第８の実施形態のストロボ装置の左側面図、図８（Ｄ）は連結部材５ａ，５ｂを透視して見た第８の実施形態のストロボ装置の斜視図である。図９（Ａ）は図８（Ｂ）のＡ−Ａ線に沿った拡大鉛直断面図、図９（Ｂ）は図８（Ｂ）のＢ−Ｂ線に沿った拡大鉛直断面図、図９（Ｃ）は図８（Ｂ）のＣ−Ｃ線に沿った拡大鉛直断面図である。図１０（Ａ）は図８（Ｂ）のＤ−Ｄ線に沿った水平断面図、図１０（Ｂ）は図１０（Ａ）に示す水平断面内を進む光の光路を示した図である。
【００９０】
第６の実施形態のストロボ装置では、図６（Ａ）に示す鉛直断面内の楕円弧をストロボ装置の左右方向にスイープさせることによりリフレクタ部２ａの楕円系反射面２ａ１が構成されているが、第８の実施形態のストロボ装置では、図９（Ａ）に示すストロボ装置の前後方向（図９（Ａ）の左右方向）に延びる水平な軸線（図９（Ａ）中の一点鎖線）を中心に図９（Ａ）に示す鉛直断面内の楕円弧を回転させることにより得られる概略回転楕円面によって、リフレクタ部２ａ−１の楕円系反射面２ａ１−１が構成されている。更に、第８の実施形態のストロボ装置では、図９（Ｂ）に示すストロボ装置の前後方向（図９（Ｂ）の左右方向）に延びる水平な軸線（図９（Ｂ）中の一点鎖線）を中心に図９（Ｂ）に示す鉛直断面内の楕円弧を回転させることにより得られる概略回転楕円面によって、リフレクタ部２ａ−２の楕円系反射面２ａ１−２が構成されている。また、第８の実施形態のストロボ装置では、図９（Ｃ）に示すストロボ装置の前後方向（図９（Ｃ）の左右方向）に延びる水平な軸線（図９（Ｃ）中の一点鎖線）を中心に図９（Ｃ）に示す鉛直断面内の楕円弧を回転させることにより得られる概略回転楕円面によって、リフレクタ部２ａ−３の楕円系反射面２ａ１−３が構成されている。
【００９１】
更に、第６の実施形態のストロボ装置では、図６（Ａ）に示す鉛直断面内の楕円弧をストロボ装置の左右方向にスイープさせることによりリフレクタ部２ｂの楕円系反射面２ｂ１が構成されているが、第８の実施形態のストロボ装置では、図９（Ａ）に示すストロボ装置の前後方向（図９（Ａ）の左右方向）に延びる水平な軸線（図９（Ａ）中の一点鎖線）を中心に図９（Ａ）に示す鉛直断面内の楕円弧を回転させることにより得られる概略回転楕円面によって、リフレクタ部２ｂ−１の楕円系反射面２ｂ１−１が構成されている。更に、第８の実施形態のストロボ装置では、図９（Ｂ）に示すストロボ装置の前後方向（図９（Ｂ）の左右方向）に延びる水平な軸線（図９（Ｂ）中の一点鎖線）を中心に図９（Ｂ）に示す鉛直断面内の楕円弧を回転させることにより得られる概略回転楕円面によって、リフレクタ部２ｂ−２の楕円系反射面２ｂ１−２が構成されている。また、第８の実施形態のストロボ装置では、図９（Ｃ）に示すストロボ装置の前後方向（図９（Ｃ）の左右方向）に延びる水平な軸線（図９（Ｃ）中の一点鎖線）を中心に図９（Ｃ）に示す鉛直断面内の楕円弧を回転させることにより得られる概略回転楕円面によって、リフレクタ部２ｂ−３の楕円系反射面２ｂ１−３が構成されている。
【００９２】
詳細には、第８の実施形態のストロボ装置では、図８および図９に示すように、楕円系反射面２ａ１−１を有するリフレクタ部２ａ−１と、楕円系反射面２ａ１−２を有するリフレクタ部２ａ−２と、楕円系反射面２ａ１−３を有するリフレクタ部２ａ−３とをストロボ装置の左右方向に配列し、楕円系反射面２ｂ１−１を有するリフレクタ部２ｂ−１と、楕円系反射面２ｂ１−２を有するリフレクタ部２ｂ−２と、楕円系反射面２ｂ１−３を有するリフレクタ部２ｂ−３とをストロボ装置の左右方向に配列することによって、リフレクタ２の一部が構成されている。
【００９３】
また、第６の実施形態のストロボ装置では、図６（Ａ）に示す鉛直断面内の凸レンズ３の形状をストロボ装置の左右方向にスイープさせることにより、凸レンズ３が構成されているが、第８の実施形態のストロボ装置では、図９（Ａ）に示すストロボ装置の前後方向（図９（Ａ）の左右方向）に延びる水平な軸線（図９（Ａ）中の一点鎖線）を中心に図９（Ａ）に示す鉛直断面内の凸レンズ部３−１の形状を回転させることにより得られる回転体によって、凸レンズ３の一部が構成されている。更に、第８の実施形態のストロボ装置では、図９（Ｂ）に示すストロボ装置の前後方向（図９（Ｂ）の左右方向）に延びる水平な軸線（図９（Ｂ）中の一点鎖線）を中心に図９（Ｂ）に示す鉛直断面内の凸レンズ部３−２の形状を回転させることにより得られる回転体によって、凸レンズ３の一部が構成されている。また、第８の実施形態のストロボ装置では、図９（Ｃ）に示すストロボ装置の前後方向（図９（Ｃ）の左右方向）に延びる水平な軸線（図９（Ｃ）中の一点鎖線）を中心に図９（Ｃ）に示す鉛直断面内の凸レンズ部３−３の形状を回転させることにより得られる回転体によって、凸レンズ３の一部が構成されている。
【００９４】
詳細には、第８の実施形態のストロボ装置では、図８および図９に示すように、概略回転体の凸レンズ部３−１と、概略回転体の凸レンズ部３−２と、概略回転体の凸レンズ部３−３とをストロボ装置の左右方向に配列することによって、凸レンズ３が構成されている。
【００９５】
更に、第８の実施形態のストロボ装置では、図８〜図１０に示すように、光源１からの直射光の一部およびリフレクタ部２ｅの半円筒状反射面２ｅ１からの反射光の一部を凸レンズ３の凸レンズ部３−１の焦点３ｆ−１の近傍に集光させるためのインナーレンズ部４−１が設けられている。また、光源１からの直射光の一部およびリフレクタ部２ｅの半円筒状反射面２ｅ１からの反射光の一部を凸レンズ３の凸レンズ部３−２の焦点３ｆ−２の近傍に集光させるためのインナーレンズ部４−２が設けられている。更に、光源１からの直射光の一部およびリフレクタ部２ｅの半円筒状反射面２ｅ１からの反射光の一部を凸レンズ３の凸レンズ部３−３の焦点３ｆ−３の近傍に集光させるためのインナーレンズ部４−３が設けられている。更に、インナーレンズ部４−１と、インナーレンズ部４−２と、インナーレンズ部４−３とをストロボ装置の左右方向に配列することによって、インナーレンズ４が構成されている。
【００９６】
詳細には、第８の実施形態のストロボ装置では、図９（Ａ）に示す鉛直断面内を進む光の光路が、図２（Ａ）、図２（Ｂ）、図３（Ａ）、図３（Ｂ）、図６（Ｂ）および図６（Ｃ）に示す鉛直断面内を進む光の光路とほぼ同様になる。更に、図９（Ｂ）に示す鉛直断面内を進む光の光路が、図２（Ａ）、図２（Ｂ）、図３（Ａ）、図３（Ｂ）、図６（Ｂ）および図６（Ｃ）に示す鉛直断面内を進む光の光路とほぼ同様になる。また、図９（Ｃ）に示す鉛直断面内を進む光の光路が、図２（Ａ）、図２（Ｂ）、図３（Ａ）、図３（Ｂ）、図６（Ｂ）および図６（Ｃ）に示す鉛直断面内を進む光の光路とほぼ同様になる。
【００９７】
更に、第８の実施形態のストロボ装置では、図１０（Ｂ）に示すように、図１０（Ｂ）に示す水平断面内を進む光のうち、ストロボ装置の前後方向（図１０（Ｂ）の上下方向）に対して角度をなして光源１から放射された光Ｌ１３が、まず最初に、リフレクタ部２ｅの半円筒状反射面２ｅ１によって反射される。次いで、半円筒状反射面２ｅ１からの反射光が、インナーレンズ４のインナーレンズ部４−１に入射し、次いで、インナーレンズ部４−１によって屈折される。次いで、インナーレンズ部４−１によって屈折された光が、凸レンズ３の凸レンズ部３−１に入射し、次いで、凸レンズ部３−１によって屈折され、ストロボ装置の前後方向（図１０（Ｂ）の上下方向）に概略平行な光Ｌ１３’としてストロボ装置の画角内に照射される。
【００９８】
また、第８の実施形態のストロボ装置では、図１０（Ｂ）に示すように、図１０（Ｂ）に示す水平断面内を進む光のうち、ストロボ装置の前後方向（図１０（Ｂ）の上下方向）に対して角度をなして光源１から放射された光Ｌ１４が、まず最初に、インナーレンズ４のインナーレンズ部４−１に入射し、次いで、インナーレンズ部４−１によって屈折される。次いで、インナーレンズ部４−１によって屈折された光が、凸レンズ３の凸レンズ部３−１に入射し、次いで、凸レンズ部３−１によって屈折され、ストロボ装置の前後方向（図１０（Ｂ）の上下方向）に概略平行な光Ｌ１４’としてストロボ装置の画角内に照射される。
【００９９】
更に、第８の実施形態のストロボ装置では、図１０（Ｂ）に示すように、図１０（Ｂ）に示す水平断面内を進む光のうち、ストロボ装置の前後方向（図１０（Ｂ）の上下方向）に対して角度をなして光源１から放射された光Ｌ１５が、まず最初に、リフレクタ部２ｅの半円筒状反射面２ｅ１によって反射される。次いで、半円筒状反射面２ｅ１からの反射光が、インナーレンズ４のインナーレンズ部４−２に入射し、次いで、インナーレンズ部４−２によって屈折される。次いで、インナーレンズ部４−２によって屈折された光が、凸レンズ３の凸レンズ部３−２に入射し、次いで、凸レンズ部３−２によって屈折され、ストロボ装置の前後方向（図１０（Ｂ）の上下方向）に概略平行な光Ｌ１５’としてストロボ装置の画角内に照射される。
【０１００】
また、第８の実施形態のストロボ装置では、図１０（Ｂ）に示すように、図１０（Ｂ）に示す水平断面内を進む光のうち、ストロボ装置の前後方向（図１０（Ｂ）の上下方向）に対して角度をなして光源１から放射された光Ｌ１６が、まず最初に、インナーレンズ４のインナーレンズ部４−２に入射し、次いで、インナーレンズ部４−２によって屈折される。次いで、インナーレンズ部４−２によって屈折された光が、凸レンズ３の凸レンズ部３−２に入射し、次いで、凸レンズ部３−２によって屈折され、ストロボ装置の前後方向（図１０（Ｂ）の上下方向）に概略平行な光Ｌ１６’としてストロボ装置の画角内に照射される。
【０１０１】
更に、第８の実施形態のストロボ装置では、図１０（Ｂ）に示すように、図１０（Ｂ）に示す水平断面内を進む光のうち、ストロボ装置の前後方向（図１０（Ｂ）の上下方向）に対して角度をなして光源１から放射された光Ｌ１７が、まず最初に、インナーレンズ４のインナーレンズ部４−３に入射し、次いで、インナーレンズ部４−３によって屈折される。次いで、インナーレンズ部４−３によって屈折された光が、凸レンズ３の凸レンズ部３−３に入射し、次いで、凸レンズ部３−３によって屈折され、ストロボ装置の前後方向（図１０（Ｂ）の上下方向）に概略平行な光Ｌ１７’としてストロボ装置の画角内に照射される。
【０１０２】
また、第８の実施形態のストロボ装置では、図１０（Ｂ）に示すように、図１０（Ｂ）に示す水平断面内を進む光のうち、ストロボ装置の前後方向（図１０（Ｂ）の上下方向）に対して角度をなして光源１から放射された光Ｌ１８が、まず最初に、リフレクタ部２ｅの半円筒状反射面２ｅ１によって反射される。次いで、半円筒状反射面２ｅ１からの反射光が、インナーレンズ４のインナーレンズ部４−３に入射し、次いで、インナーレンズ部４−３によって屈折される。次いで、インナーレンズ部４−３によって屈折された光が、凸レンズ３の凸レンズ部３−３に入射し、次いで、凸レンズ部３−３によって屈折され、ストロボ装置の前後方向（図１０（Ｂ）の上下方向）に概略平行な光Ｌ１８’としてストロボ装置の画角内に照射される。
【０１０３】
つまり、第８の実施形態のストロボ装置によれば、図１０（Ｂ）に示すように、光源１から放射された光の左右方向の拡散度合いを、リフレクタ部２ａ−１の楕円系反射面２ａ１−１、リフレクタ部２ａ−３の楕円系反射面２ａ１−３、インナーレンズ４のインナーレンズ部４−１，４−２，４−３および凸レンズ３の凸レンズ部３−１，３−２，３−３によって制御し、凸レンズ３からの光をストロボ装置の画角内に照射することができる。
【０１０４】
第９の実施形態では、上述した第１から第８の実施形態を適宜組み合わせることも可能である。
【産業上の利用可能性】
【０１０５】
本発明のストロボ装置は、例えばカメラ等に適用可能である。
【図面の簡単な説明】
【０１０６】
【図１】第１の実施形態のストロボ装置を示した図である。
【図２】図１（Ａ）に示す鉛直断面内を進む光の光路を示した図である。
【図３】図１（Ａ）に示す鉛直断面内を進む光の光路を示した図である。
【図４】図１（Ａ）に示す鉛直断面内を進む光の光路を示した図である。
【図５】第１の実施形態のストロボ装置の効果を説明するための図である。
【図６】第６の実施形態のストロボ装置を示した図である。
【図７】第７の実施形態のストロボ装置を左側から見た鉛直断面図である。
【図８】第８の実施形態のストロボ装置を示した図である。
【図９】第８の実施形態のストロボ装置を示した図である。
【図１０】第８の実施形態のストロボ装置を示した図である。
【符号の説明】
【０１０７】
１                              光源
ＣＬ                            中心軸線
２                              リフレクタ
２ａ，２ｂ，２ｃ，２ｄ，２ｅ    リフレクタ部
２ｆ，２ｇ                      側壁
２ａ１，２ｂ１，２ｅ１          反射面
２ａｆ２，２ｂｆ２              第２焦点
３                              凸レンズ
３ｆ                            焦点
４                              インナーレンズ
【図１】
0005044385.tif 000002
【図２】
0005044385.tif 000003
【図３】
0005044385.tif 000004
【図４】
0005044385.tif 000005
【図５】
0005044385.tif 000006
【図６】
0005044385.tif 000007
【図７】
0005044385.tif 000008
【図８】
0005044385.tif 000009
【図９】
0005044385.tif 000010
【図１０】
0005044385.tif 000011